(57)【要約】【課題】迅速且つ円滑に文字情報入力を可能にする携帯端末装置およびその情報入力方法を提供する。【解決手段】メモリ部５にアプリケーションに応じて複数の辞書学習データ５０ａ〜５０ｃを用意し、ユーザがキー入力部３を操作して入力する電話帳データ内の特定データ（宛先データ）により最適な辞書学習データを選択し、ユーザの情報入力操作の負担を軽減する。【選択図】図１ 
2005165487.tif 000002
【特許請求の範囲】
【請求項１】
ユーザがキー入力部を操作してメモリに格納された辞書データを使用して電子メール等の文字情報を入力し、無線部を介して宛先へ送信する携帯端末装置において、
使用用途に応じて用意された文字変換用の複数の辞書学習データと、入力データから特定の情報を切り出す手段と、該切り出された特定情報に基づき前記複数の辞書学習データの１つを選択する選択手段とを備えることを特徴とする携帯端末装置。
【請求項２】
前記切り出される入力データは、電話帳のメールアドレスであり、該メールアドレス毎に前記辞書学習データ種別を設定することを特徴とする請求項１に記載の携帯端末装置。
【請求項３】
前記文字変換用の複数の辞書学習データは、ＩＤにより管理されることを特徴とする請求項１に記載の携帯端末装置。
【請求項４】
前記複数の辞書学習データは、ビジネス文書、口語文書、技術文書等のアプリケーション毎に用意されることを特徴とする請求項１、２又は３に記載の携帯端末装置。
【請求項５】
ユーザがキー入力部を操作してメモリに格納された辞書データを使用して電子メール等の文字情報を入力し、無線部を介して宛先へ送信する携帯端末装置の情報入力方法において、
メモリ内にアプリケーションに応じて異なる複数の辞書学習データを格納し、前記入力される電話帳データから目的のデータを求め、該目的のデータに応じて前記複数の辞書学習データから予め決められた辞書学習データを選択使用することを特徴とする携帯端末装置の情報入力方法。
【請求項６】
前記目的のデータは、メール宛先データであることを特徴とする請求項５に記載の携帯端末装置の情報入力方法。
【請求項７】
前記目的のデータがない場合には、デフォルトの辞書学習データが選択されることを特徴とする請求項５又は６に記載の携帯端末装置の情報入力方法。
【請求項８】
前記情報入力に際し宛先入力／選択を行い、前記辞書学習データのＩＤの有無を判断し、前記ＩＤがあれば対応する辞書学習データを選択し、前記ＩＤがなければＩＤを新規付与して辞書学習データ領域を作成することを特徴とする請求項５に記載の携帯端末装置の情報入力方法。
【発明の詳細な説明】
【技術分野】
【０００１】
本発明は携帯端末装置に関し、特に電子メール等のメッセージ入力手段を有する携帯電話等の携帯端末装置に関する。
【背景技術】
【０００２】
携帯端末装置は、無線通信のサービスエリア内であれば、何時でも且つ何処でも通話又はメールの送受信を行うことが可能であるので、極めて便利である。そのために、携帯端末装置は、広い年令層に急速に普及して活用され、今や我々の日常生活に不可欠な装置となっていると言っても過言ではない。
【０００３】
携帯端末装置に関する従来技術は、種々の文献に開示されている。例えば、文字変換を使用状況に応じて行うことが可能な携帯情報通信端末および関連技術が開示されている（例えば、特許文献１参照。）。
【特許文献１】特開２００３−２０３０６９号公報（第３頁、第１図）
【０００４】
図７を参照して一般的な従来の携帯端末装置の構成および動作を説明する。携帯端末装置は、制御部１、表示部２、キー入力部３、無線部４、メモリ部（記憶部）５、ワークメモリ６、辞書データ５０および辞書学習データ５０１により構成される。
【０００５】
制御部１は、例えばＣＰＵ（中央処理装置）により構成され、各部の制御を行う。表示部２は、例えば液晶表示パネル等により構成され、文字および図形データ等を表示する。キー入力部３は、通信相手の電話番号や送信するメッセージの選択および入力を行う。無線部４は、基地局と無線通信して、データの送受信を行う。
【０００６】
メモリ部５には、辞書データ５０および辞書学習データ５０１を格納・管理する。文字入力する際に、ユーザによるキー入力部３の入力操作に応じて、辞書データ５０を使用して変換候補を表示部２に表示する。また、辞書データ５０を使用して変換候補を選択した場合には、辞書学習データ５０１に格納される。そして、次回に同じ読みで文字変換した際には、最優先して候補表示を行う。従って、辞書学習データには、主に学習された単語および変換候補の優先順位を管理している。これまで辞書学習データ５０１には、単語のみの学習ではなく、連文節学習や口語学習等の様々な種類がある。また、住所や名前等の入力では、品詞情報に基づき地名や名前に使用される単語を優先して候補表示する手法もある。
【発明の開示】
【発明が解決しようとする課題】
【０００７】
しかしながら、上述の如き従来技術には幾つかの課題があった。先ず、辞書学習データ５０１が１つの領域でしか管理されていないため、文字変換時の候補表示において、異なる入力シーン（例えば、メール宛先により文章スタイルや内容が異なる場合、又はアプリケーションによって入力内容が異なる場合等）に、同一の候補順のみでしか表示されず、結果的に使用者の使い勝手を悪化させる原因となる。また、学習した単語は全て１つの辞書学習データ５０１内でのみ格納されるために、学習データ量が増大する。その結果、ワークメモリ６が枯渇し、文字変換時の変換速度が低下する。
【０００８】
本発明は、従来技術の上述した課題に鑑みなされたものであり、使用者の文字変換操作に関する負荷を軽減するために、文字入力の使用用途に応じて、柔軟性を持ち、効率的な文字入力を可能にする携帯端末装置およびその情報入力方法を提供することを目的とする。
【課題を解決するための手段】
【０００９】
前述の課題を解決するため、本発明による携帯端末装置およびその情報入力方法は、次のような特徴的な構成を採用している。
【００１０】
(１)ユーザがキー入力部を操作してメモリに格納された辞書データを使用して電子メール等の文字情報を入力し、無線部を介して宛先へ送信する携帯端末装置において、
使用用途に応じて用意された文字変換用の複数の辞書学習データと、入力データから特定の情報を切り出す手段と、該切り出された特定情報に基づき前記複数の辞書学習データの１つを選択する選択手段とを備える携帯端末装置。
【００１１】
(２)前記切り出される入力データは、電話帳のメールアドレスであり、該メールアドレス毎に前記辞書学習データ種別を設定する上記（１）の携帯端末装置。
【００１２】
(３)前記文字変換用の複数の辞書学習データは、ＩＤにより管理される上記（１）の携帯端末装置。
【００１３】
(４)前記複数の辞書学習データは、ビジネス文書、口語文書、技術文書等のアプリケーション毎に用意される上記（１）、（２）又は（３）の携帯端末装置。
【００１４】
(５)ユーザがキー入力部を操作してメモリに格納された辞書データを使用して電子メール等の文字情報を入力し、無線部を介して宛先へ送信する携帯端末装置の情報入力方法において、
メモリ内にアプリケーションに応じて異なる複数の辞書学習データを格納し、前記入力される電話帳データから目的のデータを求め、該目的のデータに応じて前記複数の辞書学習データから予め決められた辞書学習データを選択使用する携帯端末装置の情報入力方法。
【００１５】
(６)前記目的のデータは、メール宛先データである上記（５）の携帯端末装置の情報入力方法。
【００１６】
(７)前記目的のデータがない場合には、デフォルトの辞書学習データが選択される上記（５）又は（６）の携帯端末装置の情報入力方法。
【００１７】
(８)前記情報入力に際し宛先入力／選択を行い、前記辞書学習データのＩＤの有無を判断し、前記ＩＤがあれば対応する辞書学習データを選択し、前記ＩＤがなければＩＤを新規付与して辞書学習データ領域を作成する上記（５）の携帯端末装置の情報入力方法。
【発明の効果】
【００１８】
本発明によると、次の如き実用上の顕著な効果が得られる。即ち、複数の辞書学習データを独立して携帯端末装置内に格納することにより、入力文章の形態に応じて最適な文字変換候補を優先して表示し、迅速且つ円滑な入力を可能にする。また、電話帳等の宛先データに、辞書学習データ種別を付加するため、ユーザが意識することなく辞書学習データを自動選択し、入力語句に対する適切な変換を優先的に検索可能である。更に、複数の事象学習データを用意することで、それぞれ使用用途に応じて分割して学習データを格納可能であるため、変換時の候補数が抑えられ、高い変換速度が得られる。
【実施例１】
【００１９】
以下、本発明による携帯端末装置の好適実施例の構成および動作を、添付図面を参照して詳細に説明する。尚、説明の便宜上、上述した従来技術に対応する構成要素には、同様の参照符号を使用することとする。
【００２０】
先ず、図１は、本発明による携帯端末装置の第１実施例の全体構成を示すブロック図である。この携帯端末装置は、制御部１、表示部２、キー入力部３、無線部４、メモリ部５、ワークメモリ６、辞書データ５０、複数の辞書学習データ５０ａ〜５０ｃおよび電話帳データ５１１により構成される。
【００２１】
制御部１は、携帯端末装置内の各部と接続され、装置内のハードおよびソフト動作を全般的に制御する機能を有する。表示部２は、液晶等の表示デバイスで構成され、各種アプリケーションで必要とされる情報や、キー入力部３でキー入力された文字列や情報を表示させる。ここで、キー入力部３は、携帯電話等の携帯端末装置の場合には、テンキーを中心とするボタンから構成され、電話する際のダイヤルや、文字を入力する機能を有している。メモリ部５には、各アプリケーションで利用可能な、電話帳データ５１１、辞書データ５０および辞書学習データ５０ａ〜５０ｃ等のユーザデータを格納・管理している。各アプリケーション起動時には、各種データをワークメモリ６に展開することで、高速アクセスを可能にする。
【００２２】
例えば、文字入力において、使用者が入力した仮名文字列を漢字に変換する際には、辞書データ５０および辞書学習データ５０ａ〜５０ｃをワークメモリ６に展開しておくことで、変換候補を迅速に検索することが可能である。無線部４は、回線交換呼通信、パケット交換呼通信等を使用して、電話機能やメール等のメッセージ送信および外部情報の閲覧を可能としている。
【００２３】
辞書学習データ５０は、文字入力で使用される日本語変換用の辞書等を指し、辞書学習データ５０ａ〜５０ｃは使用者の文字変換操作において、次回同じ読みで文字変換した際に、過去に変換した単語を優先して呼び出すための、学習データを指す。使用者が辞書データ５０を使用して文字変換した際には、自動的に辞書学習データ５０ａ〜５０ｃに格納され、学習した単語および候補表示したときの優先順位を格納している。
【００２４】
次に、図２を参照して、図１に示す携帯端末装置のメール本文作成手段のメール宛先と辞書学習データ５０の関連について説明する。携帯端末装置内のメモリ部５には、電話帳データ５１１が格納されており、名前、電話番号およびメールアドレス７１ａ〜７１ｃ等の情報から構成されている。
【００２５】
メールアドレス７１ａ〜７１ｃは、メールを送信する際に利用され、メール作成時に電話帳データ５１１から検索される等の手段によりメール宛先を選択する。各メールアドレス７１ａ〜７１ｃには、辞書学習データ種別（ビジネス文書、口語文書および技術文書）８１ａ〜８１ｃを付加して格納されており、それぞれの宛先に合致する文章スタイルに対して、辞書学習データ種別８１ａ〜８１ｃをユーザにより選択可能とする。ここで、辞書学習データ種別８１ａ〜８１ｃには、ビジネス文書および口語文書の如き文書スタイルに関するものや、方言や専門用語に関する如きカテゴリでもよく、ユーザがよく利用する文書スタイル／用語に合致した複数の辞書学習データを携帯端末装置内に格納する。
【００２６】
この実施例では、メールアドレス７１ａ〜７１ｃ毎に、辞書学習データ種別８１ａ〜８１ｃを対応させることにより実現している。尚、その他の利用方法として、アプリケーション毎（電話帳やスケジュール編集等）に、辞書学習データ種別を対応させてもよい。
【００２７】
次に、図３は、第１実施例におけるメールの本文を作成する動作の説明図である。先ず、電話帳データ５１１より送信するメール宛先を選択する（ステップ５１１ａ）。その際に、予め電話帳５１１に登録されているメールアドレス７１ａ〜７１ｃおよび送信先に対して使用される辞書学習データ５０ａ〜５０cの辞書学習データ種別８１ａ〜８１ｃを読み込む（ステップ５１１ｂ）。辞書学習データ種別８１ａ〜８１ｃは、例えばビジネス文書用の辞書や、口語文書用の辞書の如く、送信先の相手により入力文章の特徴が予め分かっている場合に、自動的に判別できるような辞書学習データ種別８１ａ〜８１ｃを、電話帳データ５１１に予め登録する。これにより、使用者が無意識のうちに使用したい語句を優先的に変換するために利用されるものである。このため、携帯端末装置内には、予め複数の辞書学習データ（５０ａ〜５０ｃ）を格納しておき、必要に応じて文字入力の際に使用する辞書学習データ５０を切替可能な構成とする。
【００２８】
次に、図４のフローチャートを参照して、第１実施例の動作を説明する。メールの本文を作成する前に、電話帳データ５１１から送信するメール宛先の検索を行う（ステップＳ１）。次に、目的のデータの有無を判断する（ステップＳ２）。目的のメール宛先がない場合（ステップＳ２：Ｎｏ）には、デフォルトの辞書学習データの選択を行う（ステップＳ６）。ここで、デフォルトの辞書学習データとは、前記辞書学習データ種別８１ａ〜８１ｃに属さないものであり、特定の辞書学習データを指定していない場合に使用される標準的な辞書学習データある。目的のメール宛先があった場合（ステップＳ２：Ｙｅｓ）には、宛先の選択を行い（ステップＳ３）、予め電話帳データ５１１のメール宛先に指定されている辞書学習データ種別８１ａ〜８１ｃを読み込む。辞書学習データ種別の有無を判断する（ステップＳ４）。辞書学習データ種別８１ａ〜８１ｃが設定されていない場合（ステップＳ４：Ｎｏ）には、デフォルトの辞書学習データの選択を行う（ステップＳ６）。辞書学習データ種別８１ａ〜８１ｃが設定されている場合（ステップＳ４：Ｙｅｓ）には、それに対応する辞書学習データ５０ａ〜５０ｃの選択を自動的に行う（ステップＳ５）。
【００２９】
これにより、文字入力を行った際には、文字変換時に辞書学習データ５０ａ〜５０ｃを参照して、メール宛先に合った文書スタイルにて、変換候補を優先的に表示することが可能となる。
【実施例２】
【００３０】
次に、本発明の第２実施例を図５および図６を参照して説明する。尚、第１実施例との相違点を中心に説明する。図５は、本発明の第２実施例の動作例を示す。第１実施例における図２では、各メール宛先毎に文書スタイル・内容等のカテゴリ毎に割り当てている辞書学習データ種別８１ａ〜８１ｃを関連付けることにより、文字入力時に使用する辞書学習データ５０ａ〜５０ｃを決定している。しかし、図５に示す第２実施例では、予め使用する辞書学習データ種別を決定するのではなく、メール宛先毎に、専用の辞書学習データ５２ａ〜５２ｃを１つ設けている。メールアドレスデータ７１ａ〜７１ｃおよび辞書学習データ５２ａ〜５２ｃの関連付けは、それぞれＩＤ情報の如き番号により管理する。
【００３１】
この場合の辞書学習データの選択動作を図６のフローチャートに示す。先ず、メールアドレスを選択又は直接入力を行う（ステップＳ１０）。そして、辞書学習データのＩＤの有無を判断する（ステップＳ１１）。メールアドレス７１に対するＩＤ情報がない場合（ステップＳ１１：Ｎｏ）には、ＩＤを新規に付与する（ステップＳ１２）。そして、辞書学習データ領域の新規作成を行う（ステップＳ１３）。電話帳等には辞書学習データ種別の設定は不要であるため、宛先選択としては、必ずしも電話帳から検索を行う必要はない。この場合に、文字入力時には、新規に作成した辞書学習データを使用して変換候補の学習を行う。メールアドレスを選択又は直接入力した際（ステップＳ１０）に、ＩＤ情報が既に存在している場合（ステップＳ１１：Ｙｅｓ）には、既存の辞書学習データの選択を行う（ステップＳ１４）。また、メールアドレス７１からＩＤ情報を検索する際には、メールアドレスの完全一致によりＩＤを特定するだけではなく、部分一致（例えば、特定のドメイン名であれば全て同じＩＤ情報で管理する）の手段でもよい。
【００３２】
このように、この実施例では、個々に辞書学習データを設けているため、辞書学習データ種別が不要である。また、ＩＤ管理を行うことで、電話帳に登録されていないメールアドレスに対しても、専用の辞書学習データ領域を持つことが可能である。
【００３３】
以上、本発明による携帯端末装置の好適実施例の構成および動作を詳述した。しかし、斯かる実施例は、本発明の単なる例示に過ぎず、何ら本発明を限定するものではない。本発明の要旨を逸脱することなく、特定用途に応じて種々の変形変更が可能であること、当業者には容易に理解できよう。
【図面の簡単な説明】
【００３４】
【図１】本発明による携帯端末装置の好適実施例の機能ブロック図である。
【図２】本発明の第１実施例の電話帳構成を示す説明図である。
【図３】本発明の第１実施例の動作説明図である。
【図４】本発明の第１実施例のフローチャートである。
【図５】本発明の第２実施例の動作説明図である。
【図６】本発明の第２実施例のフローチャートである。
【図７】従来の一般的な携帯端末装置の機能ブロック図である。
【符号の説明】
【００３５】
１  制御部
２  表示部
３  キー入力部
５  メモリ部
５０  辞書データ
５１１  電話帳データ
７１  メールアドレス
【図１】
2005165487.tif 000003
【図２】
2005165487.tif 000004
【図３】
2005165487.tif 000005
【図４】
2005165487.tif 000006
【図５】
2005165487.tif 000007
【図６】
2005165487.tif 000008
【図７】
2005165487.tif 000009